【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
表面上の関心の領域を撮像する方法であって、
前記表面の前記関心の領域へのマーカーであって、関心の標的分子に結合する、マーカーを適用することと、
前記関心の領域内またはそれに隣接する前記表面上に蛍光基準を提供することと、
前記マーカーおよび蛍光基準が識別可能であるように、集積撮像装置を使用して、前記関心の領域の画像を捕捉することと、
を含む、方法。
【請求項２】
前記マーカーが、前記表面上に局所的に適用されるか、または前記表面に注入されるバイオタグである、請求項１に記載の方法。
【請求項３】
前記関心の領域が、癌性であることが疑われる病変を含む、請求項１に記載の方法。
【請求項４】
前記蛍光基準が、既定の励起スペクトルの光に露光されたとき、既定の放射スペクトルにおいて可視的ではない基部を含み、前記基部が、前記既定の励起スペクトルの光に露光されたとき、前記既定の放射スペクトルにおいて既定の較正輝度の蛍光較正ベタ領域印を含む、請求項１に記載の方法。
【請求項５】
内部画像センサ、内部自動焦点調節制御論理、記憶される命令のためのメモリを有する内部埋込型プロセッサ、および（ｉ）レンズ、または（ｉｉ）レンズを受容するように適合されたレンズマウントのうちの１つ以上を含む、集積撮像装置を設置することにより、前記集積撮像装置の視野が、前記関心の領域および基準を含むことと、
第１の撮像シーケンスを開始するために、前記集積撮像装置上のユーザー制御を作動させることであって、前記撮像シーケンスが、
前記バイオタグの励起光学帯域と重複する光学帯域の励起光源により前記関心の領域を照射することと、
前記集積撮像装置内の前記自動焦点調節制御論理により、前記視野に自動焦点調節することと、
前記視野に前記集積撮像装置を露出させることと、を含むことと、を含む、請求項１に記載の方法。
【請求項６】
前記方法が、
白色光源により前記関心の領域を照射することと、
前記集積撮像装置内の前記自動焦点調節制御論理により、前記視野に自動焦点調節することと、
前記視野に前記集積撮像装置を露出させることと、を含む、第２の撮像シーケンスを開始することをさらに含み、
前記第１の撮像シーケンスが前記第２の撮像シーケンスの前に実施されるか、または第２の撮像シーケンスが前記第１の撮像シーケンスの前に実施され得る、請求項１に記載の方法。
【請求項７】
前記集積撮像装置が、
放射帯域通過光学フィルタと、
可視光帯域通過光学フィルタと、
前記２つのフィルタのうちの１つが前記画像センサの主要光路にあるように選択する手段と、をさらに含む、請求項６に記載の方法。
【請求項８】
前記集積撮像装置が、
白色光源と、
励起光源であって、前記励起光源からの前記光のスペクトルが、前記バイオタグの前記励起光学帯域と重複する、光源と、
前記２つの光源のうちの１つを作動させるための手段と、をさらに含む、請求項７に記載の方法。
【請求項９】
前記第１の撮像シーケンスにより生成された画像、および前記第２の撮像シーケンスにより生成された画像を自動的に整合するステップであって、
前記１つ以上の基準が、少なくとも２つの整合印を含み、
前記自動整合が、少なくとも２つの整合印を使用する、ステップと、
前記２つの画像が整合され、重なるように、前記２つの整合画像を医療活動提供者に提示する追加のステップと、をさらに含む、請求項８に記載の方法。
【請求項１０】
数的測定値を生成するために、前記関心の領域における病変を自動的に測定するステップであって、
前記基準が、少なくとも２つの整合印を含み、
前記自動測定が、少なくとも２つの測定印を使用する、ステップと、
前記第１および第２の撮像シーケンスにより生成された前記画像のうちの少なくとも１つと同じ時の前記数的測定値を医療活動提供者に提示する追加のステップと、をさらに含む、請求項９に記載の方法。
【請求項１１】
皮膚癌を検出する診断目的のために、患者の皮膚を撮像する方法であって、
前記患者の関心の皮膚領域に蛍光バイオタグを局所的に適用するか、または皮内に注入するステップと、
可視光で前記関心の領域を照射するステップと、
前記可視光を使用して、撮像装置で露光を捕えるステップと、
前記可視光を止めるステップと、
前記バイオタグの放射帯域の波長帯域の自動焦点調節光で前記関心の領域を照射するステップと、
前記撮像装置を自動焦点調節するステップと、
前記自動焦調節点光を止めるステップと、
前記バイオタグの蛍光励起帯域の波長帯域の励起光で前記関心の領域を照射するステップと、
前記撮像装置で露光を捕えるステップであって、前記露光用の光が、蛍光基準からの放射光を含み、前記撮像装置が前記励起光を実質的に遮断する前記光路にフィルタを含む、ステップと、を含む、方法。
【請求項１２】
医療診断撮像用のカメラを作製する方法であって、
ａ）集積撮像装置から内部ＩＲ遮断フィルタを除去するステップであって、前記集積撮像装置が、前記内部ＩＲフィルタの前記除去前に内部画像センサ、前記内部ＩＲ遮断フィルタ、内部自動焦点調節制御論理、記憶される命令のためのメモリを有する内部埋込型プロセッサ、主要光路、および（ｉ）マクロ焦点調節レンズ、または（ｉｉ）マクロ焦点調節レンズを受容するように適合されたレンズマウントのうちの１つ以上を含む、ステップと、
ｂ）光を発生させることができる励起光源を前記集積撮像装置に取り付けるステップと、
ｃ）励起光源により生成された光の波長と等しい波長の光を遮断する放射帯域通過光学フィルタを、前記集積撮像装置に取り付けるステップと、を含み、
ステップ（ｂ）が、ステップ（ｃ）の前、それと同時に、またはその後に実施され得る、方法。
【請求項１３】
前記集積撮像装置が、一時的な内部画像記憶メモリ、本体上のユーザー制御、ユーザー表示を含む、請求項１２に記載の方法。
【請求項１４】
前記励起光源によって生成された前記光の波長が、５００〜８５０ナノメートルの範囲内である、請求項１２に記載の方法。
【請求項１５】
医療診断撮像用のカメラであって、
内部画像センサ、内部自動焦点調節制御論理、記憶される命令のためのメモリを有する内部埋込型プロセッサ、および（ｉ）マクロ焦点調節レンズ、または（ｉｉ）マクロ焦点調節レンズを受容するように適合されたレンズマウントのうちの１つ以上を含む集積撮像装置であって、
内部赤外線遮断センサフィルタを除去するために、製造後に修正される、集積撮像装置と、
光を発生させることができる励起光源と、
前記励起光源により生成された光の波長と等しい波長の光を遮断する放射光学フィルタと、を含む、カメラ。
【請求項１６】
写真を撮影する方法であって、
関心の対象にカメラを定めるステップであって、前記カメラが、
内部画像センサ、内部自動焦点調節制御論理、記憶される命令のためのメモリを有する内部埋込型プロセッサ、および（ｉ）マクロ焦点調節レンズ、または（ｉｉ）マクロ焦点調節レンズを受容するように適合されたレンズマウントのうちの１つ以上を含むステップと、
７００ナノメートル未満の波長の光を遮断する着脱可能な外部赤外線遮断フィルタを、カメラ本体の外部のカメラの光路に設置するステップと、
前記カメラ内の撮像シーケンスを開始するためにユーザー制御を作動させることであって、前記撮像シーケンスが、元の赤外線遮断フィルタを除去する前に操作された場合、前記カメラによって使用されたであろう撮像シーケンスと効果的に等しいステップと、を含む、方法。
【請求項１７】
医療診断撮像用の基準であって、
既定の励起スペクトルの光に露光されたとき、既定の放射スペクトルにおいて可視的ではない基部であって、以下の
前記既定の励起光スペクトルの光に露光されたとき、前記既定の放射スペクトルにおいて既定の較正輝度の蛍光較正印であって、この印が、ベタ領域を含む、蛍光較正印と、
集積光学システムの自動焦点調節機構によって使用されるように適合される、厳密に画定される辺縁を有する蛍光焦点調節線印と、
既定の間隔を有する一対の測定印と、
前記既定の励起光スペクトルの光に露光されたとき、前記既定の放射スペクトルにおいて、可視光および光に可視の両方で可視である蛍光整合印であって、この印が、円対称ではない、蛍光整合印と、
患者の位置の少なくとも１つの解剖学的用語を識別するように適合された方向印と、を含む印と、
前記患者の独特の撮像領域を識別する識別情報を受容するように適合されたほくろＩＤ領域と、
患者識別情報を受容するように適合された患者ＩＤ領域と、
手書き情報を受容するように適合された医師印付け領域と、を含み、
前記蛍光較正印を除き、前記基部上の印が、連続または不連続のいずれかであり、
前記基準の製造当初に作製された全ての印の総計が、前記既定の励起スペクトルの光に露光されたとき、前記既定の放射スペクトルにおいて既定の露光輝度を有する、基準。
【請求項１８】
患者の腔／組織病変を自動測定する方法であって、
（ａ）前記病変の３Ｄ画像を撮影することと、
（ｂ）前記３Ｄ画像において個々の患者の毛を識別するために、自動毛識別画像処理であって、患者の皮膚の上の毛の高さと前記個々の毛の長さ−幅比の両方に対応する自動毛識別画像処理を使用することと、
（ｃ）自動毛除去画像処理であって、
（ｃ１）各識別した個々の患者の毛の下の皮膚画像の領域を、前記画像の前記個々の毛の前記領域に設置することと、
（ｃ２）各識別した個々の患者に近接する前記皮膚画像の領域を、前記画像の前記個々の毛の前記領域に拡張することであって、前記拡張が、前記毛方向の前記個々の毛の長軸にほぼ垂直であることと、を含む、自動毛除去画像処理を使用して、前記３Ｄ画像から前記識別した個々の患者の毛を除去し、毛のない３Ｄ画像を作製することと、
（ｄ）前記毛のない３Ｄ画像の自動画像処理を使用して、前記皮膚の上の前記病変の前記高さを測定することと、
（ｅ）前記毛のない３Ｄ画像の自動画像処理を使用して、前記病変の前記表面の質感を測定することと、
（ｆ）自動画像処理を使用して、患者の毛を除去した前記３Ｄ画像を２Ｄの患者画像に変換することと、
（ｇ）自動画像処理を使用して、皮膚病変の特質を測定することと、
（ｈ）前記２Ｄの患者病変画像を病変画像のライブラリと比較することであって、前記比較が、前記病変の前記測定した高さ、前記病変の前記測定した表面の質感、前記病変の前記測定した特質のうちの少なくとも１つに対応する、ことと、
（ｉ）前記病変画像のライブラリから１つ以上のライブラリ病変画像を選択することであって、前記選択が、比較に対応する、ことと、
（ｊ）前記２Ｄの患者の病変画像と前記選択したライブラリの病変画像のうちの少なくとも１つの両方を医療従事者に提示することと、を含む、方法。